【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
ポート番号と対応するＩＰ機器へデータ転送を行うポートフォワード機能を有し広域ネットワークに接続される中継装置の配下に設けられ、前記ポートフォワードの設定のために、ＩＰアドレスとポート番号を前記中継装置に通知するＩＰ機器であって、
前記管理サーバから前記ＩＰ機器に対して接続できるか否かを確認する接続チェック要求を前記管理サーバへ送信し、前記送信した接続チェック要求に応じて前記管理サーバから前記ＩＰ機器への接続要求を受信し、この接続要求に対する応答を前記管理サーバへ送信したとき、前記接続チェック要求に対する接続チェック要求の結果を前記管理サーバから受信する制御手段を備えたことを特徴とするＩＰ機器。
【請求項２】
前記管理サーバからの接続要求を受信した際に、この接続要求が正しいか否かを確認するための専用のファイルを記憶する記憶部を有し、前記制御部は、前記管理サーバに送る接続チェック要求の中に、前記ファイルのアクセス先情報を含めるようにしたことを特徴とする請求項１に記載のＩＰ機器。
【請求項３】
前記制御部は、前記接続要求に対して接続不成功を示す否定的レスポンスを送信した場合に、前記接続チェック要求の結果に含まれる前記否定的レスポンス有りの情報に基づいて前記管理サーバから前記ＩＰ機器への接続が失敗したと判断することを特徴とする請求項１記載のＩＰ機器。
【請求項４】
前記制御部は、前記接続チェック要求の結果に含まれる前記管理サーバに所定の時間応答がないことを示すレスポンス無しの情報の場合、前記管理サーバから前記ＩＰ機器への接続が失敗したと判断することを特徴とする請求項１記載のＩＰ機器。
【請求項５】
前記制御部は、前記接続要求に対して接続成功を示す肯定的レスポンスを送信した場合に、前記接続チェック要求の結果に含まれる前記肯定的レスポンス有りの情報に基づき前記管理サーバから前記ＩＰ機器への接続が成功したと判断することを特徴とする請求項１記載のＩＰ機器。
【請求項６】
前記肯定的レスポンスは、プロトコルＨＴＴＰにおけるステータスコード２００ＯＫであることを特徴とする請求項５記載のＩＰ機器。
【請求項７】
前記制御部は、前記接続チェック要求を行うときに接続要求を受信した前記ＩＰ機器を識別するＭＡＣアドレスをＩＰアドレス及びポート番号とともに通知するとともに、前記管理サーバからの接続要求に対して前記肯定的レスポンスを送信する際にも前記ＭＡＣアドレスを通知することを特徴とする請求項１記載のＩＰ機器。
【請求項８】
中継装置とともに広域ネットワークに設けられ、該中継装置配下のＩＰ機器からの要求を前記広域ネットワーク経由で受信して処理する管理サーバであって、
前記管理サーバから前記ＩＰ機器に対して接続できるか否かを確認する接続チェック要求を前記ＩＰ機器から受信し、この接続チェック要求に応じて前記ＩＰ機器への接続要求を送信し、前記送信した接続要求に対する応答を前記ＩＰ機器から受信したとき、前記接続チェック要求に対する接続チェック要求の結果を前記ＩＰ機器へ送信する制御手段を備えたことを特徴とする管理サーバ。
【請求項９】
前記制御部は、前記接続要求に対して接続成功を示す肯定的レスポンスを送信した場合に、前記接続チェック要求の結果に含まれる前記肯定的レスポンス有りの情報に基づき前記画像サーバから前記ＩＰ機器への接続が成功したと判断することを特徴とする請求項８記載の管理サーバ。
【請求項１０】
前記制御部は、前記ＩＰ機器から接続チェック要求を受信したとき、前記接続チェック要求に含まれるアクセス先情報であって、前記接続要求が正しいか否かを確認するための前記ＩＰ機器が有する専用ファイルのアクセス先情報に基づいて接続要求を行うことを特徴とする請求項８記載の管理サーバ。
【請求項１１】
前記肯定的レスポンスが、前記接続要求に対して接続成功を示すプロトコルＨＴＴＰにおけるステータスコード２００ＯＫであることを特徴とする請求項９記載の管理サーバ。
【請求項１２】
前記接続要求に対して前記ＩＰ機器から接続不成功を示す否定的レスポンスが送信された場合、前記否定的レスポンス有りの情報を収めた接続チェック要求の結果を前記ＩＰ機器へ送信することを特徴とする請求項８記載の管理サーバ。
【請求項１３】
前記ＩＰ機器から所定の時間内に前記接続要求に対する応答を受信できない場合に、前記接続不成功を示すレスポンス無しの情報を収めた接続チェック要求の結果を前記ＩＰ機器へ送信することを特徴とする請求項８記載の管理サーバ。
【請求項１４】
前記制御部は、前記ＩＰ機器からの前記接続チェック要求で通知された前記ＩＰ機器を識別するＭＡＣアドレスと、前記ＩＰ機器からの接続成功を示す肯定的レスポンスとともに受信したＭＡＣアドレスとを比較し、一致したとき肯定的レスポンス有りの情報を収めた接続チェック要求の結果を前記ＩＰ機器へ送信することを特徴とする請求項８又は請求項９記載の管理サーバ。
【請求項１５】
ポート番号と対応するＩＰ機器へデータ転送を行うポートフォワード機能を有し広域ネットワークに設けられた中継装置と、前記中継装置の配下に接続されたＩＰ機器と、前記広域ネットワークに設けられ前記ＩＰ機器からの要求を前記広域ネットワーク経由で受信して処理する管理サーバとから構成されたネットワークシステムであって、
前記ＩＰ機器が前記管理サーバに対して接続できるか否かを確認する接続チェック要求を前記管理サーバへ送信したとき、前記管理サーバは前記接続チェック要求に応じて前記ＩＰ機器へ接続要求を送信し、前記ＩＰ機器が前記送信された接続要求に対する応答を前記管理サーバへ送信したとき、前記管理サーバは前記接続チェック要求に対する接続チェック要求の結果を前記ＩＰ機器へ送信することを特徴とするネットワークシステム。
【請求項１６】
前記接続要求に対して接続成功を示す肯定的レスポンスが前記ＩＰ機器から前記画像サーバへ送信されたとき、前記管理サーバは前記肯定的レスポンス有りの情報を収めた接続チェック要求の結果を前記ＩＰ機器に送信することを特徴とする請求項１５記載のネットワークシステム。
【請求項１７】
前記肯定的レスポンスは、プロトコルＨＴＴＰにおけるステータスコード２００ＯＫであることを特徴とする請求項１６記載のネットワークシステム。
【請求項１８】
前記接続要求に対して接続不成功を示す否定的レスポンスが前記ＩＰ機器から前記画像サーバへ送信されたとき、前記管理サーバは前記否定的レスポンス有りの情報を収めた接続チェック要求の結果を前記ＩＰ機器に送信することを特徴とする請求項１５記載のネットワークシステム。
【請求項１９】
前記ＩＰ機器から所定の時間内に前記接続要求に対するレスポンスを受信できない場合、前記管理サーバは前記レスポンス無しの情報を収めた接続チェック要求の結果を前記ＩＰ機器に送信することを特徴とする請求項１５記載のネットワークシステム。
【請求項２０】
前記管理サーバは、前記ＩＰ機器からの前記接続チェック要求で通知された前記ＩＰ機器を識別するＭＡＣアドレスと、接続チェック要求に対して前記肯定的レスポンスを送信してきた前記ＩＰ機器のＭＡＣアドレスとを比較し、一致したとき肯定的レスポンス有りの情報を収めた接続チェック要求の結果を前記ＩＰ機器に送信することを特徴とする請求項１５記載のネットワークシステム。
【手続補正２】
【補正対象書類名】明細書
【補正対象項目名】０００９
【補正方法】変更
【補正の内容】
【０００９】
上記の課題を解決するために本発明は、ポート番号と対応するＩＰ機器へデータ転送を行うポートフォワード機能を有し広域ネットワークに接続される中継装置の配下に設けられ、前記ポートフォワードの設定のために、ＩＰアドレスとポート番号を中継装置に通知するＩＰ機器であって、管理サーバからＩＰ機器に対して接続できるか否かを確認する接続チェック要求を管理サーバへ送信し、送信した接続チェック要求に応じて管理サーバからＩＰ機器への接続要求を受信し、この接続要求に対する応答を管理サーバへ送信したとき、接続チェック要求に対する接続チェック要求の結果を管理サーバから受信する制御手段を備えたことを主要な特徴とする。
【手続補正３】
【補正対象書類名】明細書
【補正対象項目名】００１１
【補正方法】変更
【補正の内容】
【００１１】
上記課題を解決するために本発明の第１の形態は、ポート番号と対応するＩＰ機器へデータ転送を行うポートフォワード機能を有し広域ネットワークに接続される中継装置の配下に設けられ、ポートフォワードの設定のために、ＩＰアドレスとポート番号を中継装置に通知するＩＰ機器であって、管理サーバからＩＰ機器に対して接続できるか否かを確認する接続チェック要求を管理サーバへ送信し、送信した接続チェック要求に応じて管理サーバからＩＰ機器への接続要求を受信し、この接続要求に対する応答を管理サーバへ送信したとき、接続チェック要求に対する接続チェック要求の結果を管理サーバから受信する制御手段を備えたＩＰ機器であり、ＩＰ機器をネットワークに設置したときＩＰアドレスとポート番号の自動設定を行うとともに、自動的且つ容易に広域ネットワークとの接続確認を行うことができる。
【手続補正４】
【補正対象書類名】明細書
【補正対象項目名】００１２
【補正方法】変更
【補正の内容】
【００１２】
本発明の第２の形態は、本発明の請求項１に従属する発明であって、管理サーバからの接続要求を受信した際に、この接続要求が正しいか否かを確認するための専用のファイルを記憶する記憶部を有し、制御部は、前記管理サーバに送る接続チェック要求の中に、ファイルのアクセス先情報を含めるようにしたＩＰ機器であり、管理サーバはそのアクセス先に接続要求を出すことで簡単に接続確認を行うことができる。
【手続補正５】
【補正対象書類名】明細書
【補正対象項目名】００１３
【補正方法】変更
【補正の内容】
【００１３】
本発明の第３の形態は、本発明の請求項１に従属する発明であって、制御部は、接続要求に対して接続不成功を示す否定的レスポンスを送信した場合に、接続チェック要求の結果に含まれる否定的レスポンス有りの情報に基づいて管理サーバからＩＰ機器への接続が失敗したと判断するＩＰ機器であり、中継装置に対するポート番号の自動設定に問題があることが分かり、再度手動で設定を行って広域ネットワークとの接続を行うことができる。
【手続補正６】
【補正対象書類名】明細書
【補正対象項目名】００１４
【補正方法】変更
【補正の内容】
【００１４】
本発明の第４の形態は、本発明の請求項１に従属する発明であって、制御部は、接続チェック要求の結果に含まれる管理サーバに所定の時間応答がないことを示すレスポンス無しの情報の場合、管理サーバから前記ＩＰ機器への接続が失敗したと判断するＩＰ機器であり、中継装置と広域ネットワークとの接続に問題があることが分かり、再度手動で広域ネットワークとの接続を行うことができる。
【手続補正７】
【補正対象書類名】明細書
【補正対象項目名】００１５
【補正方法】変更
【補正の内容】
【００１５】
本発明の第５の形態は、本発明の請求項５に従属する発明であって、制御部は、接続要求に対して接続成功を示す肯定的レスポンスを送信した場合に、接続チェック要求の結果に含まれる肯定的レスポンス有りの情報に基づき前記管理サーバからＩＰ機器への接続が成功したと判断するＩＰ機器であり、ＩＰ機器をネットワークに設置したとき自動的且つ容易に広域ネットワークとの接続確認を行うことができる。
【手続補正８】
【補正対象書類名】明細書
【補正対象項目名】００１６
【補正方法】変更
【補正の内容】
【００１６】
本発明の第６の形態は、本発明の請求項１に従属する発明であって、肯定的レスポンスは、プロトコルＨＴＴＰにおけるステータスコード２００ＯＫであるＩＰ機器であり、簡単に接続可能であることがわかる。
【手続補正９】
【補正対象書類名】明細書
【補正対象項目名】００１７
【補正方法】変更
【補正の内容】
【００１７】
本発明の第７の形態は、本発明の請求項１に従属する発明であって、制御部は、接続チェック要求を行うときに接続要求を受信したＩＰ機器を識別するＭＡＣアドレスをＩＰアドレス及びポート番号とともに通知するとともに、管理サーバからの接続要求に対して肯定的レスポンスを送信する際にもＭＡＣアドレスを通知するものとしたＩＰ機器であり、肯定的レスポンスの中でＭＡＣアドレスを通知し、予め通知したＭＡＣアドレスと比較し、両者が一致したことで、認証が行えると同時に否定的レスポンスとの区別を確実にでき、確実に接続されていることを知ることができる。
【手続補正１０】
【補正対象書類名】明細書
【補正対象項目名】００１８
【補正方法】変更
【補正の内容】
【００１８】
本発明の第８の形態は、中継装置とともに広域ネットワークに設けられ、該中継装置配下のＩＰ機器からの要求を前記広域ネットワーク経由で受信して処理する管理サーバであって、管理サーバから前記ＩＰ機器に対して接続できるか否かを確認する接続チェック要求をＩＰ機器から受信し、この接続チェック要求に応じてＩＰ機器への接続要求を送信し、送信した接続要求に対する応答をＩＰ機器から受信したとき、接続チェック要求に対する接続チェック要求の結果をＩＰ機器へ送信する制御手段を備えた管理サーバであり、ＩＰ機器をネットワークに設置したときＩＰアドレスとポート番号の自動設定を行うとともに、自動的且つ容易に広域ネットワークとの接続確認を行うことができる。
【手続補正１１】
【補正対象書類名】明細書
【補正対象項目名】００１９
【補正方法】変更
【補正の内容】
【００１９】
本発明の第９の形態は、本発明の請求項８に従属する発明であって、制御部は、接続要求に対して接続成功を示す肯定的レスポンスを送信した場合に、接続チェック要求の結果に含まれる肯定的レスポンス有りの情報に基づき前記画像サーバからＩＰ機器への接続が成功したと判断するものとした管理サーバであり、管理サーバはそのアクセス先に接続要求を出すことで簡単に接続確認を行うことができる。
【手続補正１２】
【補正対象書類名】明細書
【補正対象項目名】００２０
【補正方法】変更
【補正の内容】
【００２０】
本発明の第１０の形態は、制御部は、本発明の請求項８に従属する発明であって、ＩＰ機器から接続チェック要求を受信したとき、接続チェック要求に含まれるアクセス先情報であって、接続要求が正しいか否かを確認するためのＩＰ機器が有する専用ファイルのアクセス先情報に基づいて接続要求を行うものとした管理サーバであり、管理サーバはそのアクセス先に接続要求を出すことで簡単に接続確認を行うことができる。
【手続補正１３】
【補正対象書類名】明細書
【補正対象項目名】００２１
【補正方法】変更
【補正の内容】
【００２１】
本発明の第１１の形態は、制御部は、本発明の請求項９に従属する発明であって、前記肯定的レスポンスが、接続要求に対して接続成功を示すプロトコルＨＴＴＰにおけるステータスコード２００ＯＫとした管理サーバであり、簡単に接続可能であることができる。
【手続補正１４】
【補正対象書類名】明細書
【補正対象項目名】００２２
【補正方法】変更
【補正の内容】
【００２２】
本発明の第１２の形態は、制御部は、本発明の請求項８に従属する発明であって、接続要求に対してＩＰ機器から接続不成功を示す否定的レスポンスが送信された場合、否定的レスポンス有りの情報を収めた接続チェック要求の結果をＩＰ機器へ送信する管理サーバであり、中継装置に対するポート番号の自動設定に問題があることが分かり、再度手動で設定を行って広域ネットワークとの接続を行うことができる。
【手続補正１５】
【補正対象書類名】明細書
【補正対象項目名】００２３
【補正方法】変更
【補正の内容】
【００２３】
本発明の第１３の形態は、制御部は、本発明の請求項８に従属する発明であって、ＩＰ機器から所定の時間内に接続要求に対する応答を受信できない場合に、接続不成功を示すレスポンス無しの情報を収めた接続チェック要求の結果をＩＰ機器へ送信する管理サーバであり、所定時間の間だけ応答の有無を見ることにより、容易に中継装置と広域ネットワークとの接続に問題があることが分かり、再度手動で広域ネットワークとの接続を行うことができる。
【手続補正１６】
【補正対象書類名】明細書
【補正対象項目名】００２４
【補正方法】変更
【補正の内容】
【００２４】
本発明の第１４の形態は、本発明の請求項８乃至請求項９に従属する発明であって、制御部は、ＩＰ機器からの接続チェック要求で通知されたＩＰ機器を識別するＭＡＣアドレスと、ＩＰ機器からの接続成功を示す肯定的レスポンスとともに受信したＭＡＣアドレスとを比較し、一致したとき肯定的レスポンス有りの情報を収めた接続チェック要求の結果をＩＰ機器へ送信する管理サーバであり、肯定的レスポンスの中でＭＡＣアドレスを通知し、予め通知したＭＡＣアドレスと比較し、両者が一致したことで、認証が行えると同時に否定的レスポンスとの区別を確実にでき、確実に接続されていることを知ることができる。
【手続補正１７】
【補正対象書類名】明細書
【補正対象項目名】００２５
【補正方法】変更
【補正の内容】
【００２５】
本発明の第１５の形態は、ポート番号と対応するＩＰ機器へデータ転送を行うポートフォワード機能を有し広域ネットワークに設けられた中継装置と、中継装置の配下に接続されたＩＰ機器と、広域ネットワークに設けられＩＰ機器からの要求を前記広域ネットワーク経由で受信して処理する管理サーバとから構成されたネットワークシステムであって、
ＩＰ機器が管理サーバに対して接続できるか否かを確認する接続チェック要求を管理サーバへ送信したとき、管理サーバは前記接続チェック要求に応じてＩＰ機器へ接続要求を送信し、ＩＰ機器が送信された接続要求に対する応答を前記管理サーバへ送信したとき、管理サーバは接続チェック要求に対する接続チェック要求の結果をＩＰ機器へ送信するネットワークシステムであり、ＩＰ機器をネットワークに設置したときＩＰアドレスとポート番号の自動設定を行うとともに、自動的且つ容易に広域ネットワークとの接続確認を行うことができる。
【手続補正１８】
【補正対象書類名】明細書
【補正対象項目名】００２６
【補正方法】変更
【補正の内容】
【００２６】
本発明の第１６の形態は、本発明の請求項１５に従属する発明であって、接続要求に対して接続成功を示す肯定的レスポンスがＩＰ機器から画像サーバへ送信されたとき、管理サーバは肯定的レスポンス有りの情報を収めた接続チェック要求の結果をＩＰ機器に送信するネットワークシステムであり、ＩＰ機器をネットワークに設置したときＩＰアドレスとポート番号の自動設定を行うとともに、自動的且つ容易に広域ネットワークとの接続確認を行うことができる。
本発明の第１７の形態は、本発明の請求項１６に従属する発明であって、肯定的レスポンスは、プロトコルＨＴＴＰにおけるステータスコード２００ＯＫであるとするネットワークシステムであり、簡単に接続可能であることが分かる。
本発明の第１８の形態は、本発明の請求項１５に従属する発明であって、接続要求に対して接続不成功を示す否定的レスポンスがＩＰ機器から画像サーバへ送信されたとき、管理サーバは否定的レスポンス有りの情報を収めた接続チェック要求の結果をＩＰ機器に送信するネットワークシステムであり、中継装置に対するポート番号の自動設定に問題があることが分かり、再度手動で設定を行って広域ネットワークとの接続を行うことができる。
本発明の第１９の形態は、本発明の請求項１５に従属する発明であって、ＩＰ機器から所定の時間内に接続要求に対するレスポンスを受信できない場合、管理サーバはレスポンス無しの情報を収めた接続チェック要求の結果をＩＰ機器に送信するネットワークシステムであり、中継装置に対するポート番号の自動設定に問題があることが分かり、再度手動で設定を行って広域ネットワークとの接続を行うことができる。
本発明の第２０の形態は、本発明の請求項１５に従属する発明であって、管理サーバは、ＩＰ機器からの前記接続チェック要求で通知されたＩＰ機器を識別するＭＡＣアドレスと、接続チェック要求に対して肯定的レスポンスを送信してきたＩＰ機器のＭＡＣアドレスとを比較し、一致したとき肯定的レスポンス有りの情報を収めた接続チェック要求の結果をＩＰ機器に送信するネットワークシステムであり、肯定的レスポンスの中でＭＡＣアドレスを通知し、予め通知したＭＡＣアドレスと比較し、両者が一致したことで、認証が行えると同時に否定的レスポンスとの区別を確実にでき、確実に接続されていることを知ることができる。